(57)【特許請求の範囲】
【請求項１】
無線アクセスネットワークシステムのユーザを登録する方法において使用する、登録サーバー装置を有する通信ネットワークであって、
（ａ）所定の仮のＩＤ及び所定の仮のパスワードを用いて当該通信ネットワークにおける上記登録サーバー装置と匿名加入者として通信するユーザの無線ユーザ機器により確立された匿名通信セッションを行い、
（ｂ）上記所定の仮のＩＤ及び上記所定の仮のパスワードを認証し、上記認証に依存して上記ユーザの上記無線ユーザ機器と上記登録サーバー装置との間でポイント・ツー・ポイントプロトコルリンクを確立し、
（ｃ）上記登録サーバー装置が上記ユーザから所望のサービスプロバイダに関する情報を受信することで、該登録サーバー装置が上記ユーザの上記無線ユーザ機器の登録を完了し、
（ｄ）上記アクセスネットワークシステムに以後アクセスする際に上記ユーザの上記無線ユーザ機器が使用する登録済のＩＤ及び登録済のパスワードを、上記登録サーバー装置から上記ユーザの上記無線ユーザ機器に送る、通信ネットワーク。
【請求項２】
上記登録サーバー装置が上記所望のサービスプロバイダを登録するための情報を上記ユーザに送る段階を更に有する請求項１記載の通信ネットワーク。
【請求項３】
上記無線アクセスネットワークシステムがセルラ無線インターネットアクセスシステムである第１又は２に記載の通信ネットワーク。
【請求項４】
上記登録サーバー装置がＲＡＤＩＵＳ標準仕様に従って動作するサーバーを形成している請求項１−３の何れか一項に記載の通信ネットワーク。
【請求項５】
上記の登録が事前の登録手続きを要すること無く行われる請求項１−４の何れか一項に記載の通信ネットワーク。
【請求項６】
上記無線アクセスネットワークシステムがＵＭＴＳシステムである、請求項１−５の何れか一項に記載の通信ネットワーク。
【請求項７】
無線アクセスネットワークシステムのユーザを登録する方法において使用する、ユーザに関連づけられたユーザ機器であって、
（ａ）当該ユーザ機器を用いる匿名加入者として所定の仮のＩＤ及び所定の仮のパスワードを用いてネットワークにおける登録サーバー装置と通信する匿名通信セッションを確立し、
（ｂ）上記無線アクセスネットワークシステムが上記所定の仮のＩＤ及び上記所定の仮のパスワードを認証したことに依存して、上記登録サーバー装置により確立されたポイント・ツー・ポイントプロトコルリンクの通信を行い、
（ｃ）該登録サーバー装置による登録が完了するように、所望のサービスプロバイダに関する情報を上記登録サーバー装置に送り、
（ｄ）上記無線アクセスネットワークシステムに以後アクセスする際に上記ユーザの当該ユーザ機器が使用する登録済のＩＤ及び登録済のパスワードを、上記登録サーバー装置から受信する、ユーザ機器。
【請求項８】
当該ユーザ機器が上記ネットワークにおける上記登録サーバー装置との間で匿名通信セッションを行い、当該ユーザ機器が接続されているコンピュータにおいて動作する所定のソフトウェアプログラムを利用して、上記所望のサービスプロバイダに関する情報を上記登録サーバー装置に送信し、
上記無線アクセスネットワークシステムに以後アクセスする際に上記ユーザの当該ユーザ機器が使用する登録済のＩＤ及び登録済のパスワードを、上記登録サーバー装置から受信した場合に、上記登録済のＩＤ及び上記登録済のパスワードを上記コンピュータに記憶する、請求項７記載のユーザ機器。
【請求項９】
上記ソフトウェアプログラムは、上記コンピュータに挿入される携帯可能なデータ担体に常駐している、請求項８記載のユーザ機器。
【請求項１０】
当該ユーザ機器が、上記所望のサービスプロバイダに登録するための情報を上記登録サーバー装置から受信する、請求項７−９の何れか一項に記載のユーザ機器。
【請求項１１】
上記無線アクセスシステムがセルラ無線インターネットアクセスシステムである、請求項７−１０の何れか一項に記載のユーザ機器。
【請求項１２】
上記ユーザ機器が携帯可能であり、上記の登録が事前の登録手続きを要すること無く行われる、請求項７−１１の何れか一項に記載のユーザ機器。
【請求項１３】
上記無線アクセスネットワークシステムがＵＭＴＳシステムである、請求項７−１２の何れか一項に記載のユーザ機器。
【請求項１４】
無線アクセスネットワークシステムのユーザを登録する通信ネットワークにおいて使用する方法であって、上記通信ネットワークは登録サーバー装置を有し、当該方法は、
（ａ）所定の仮のＩＤ及び所定の仮のパスワードを用いて該通信ネットワークにおける登録サーバー装置と匿名加入者として通信するユーザの無線ユーザ機器により確立された匿名通信セッションを行い、
（ｂ）上記所定の仮のＩＤ及び上記所定の仮のパスワードを認証し、上記認証に依存して上記ユーザの上記無線ユーザ機器と上記登録サーバー装置との間でポイント・ツー・ポイントプロトコルリンクを確立し、
（ｃ）上記登録サーバー装置が上記ユーザから所望のサービスプロバイダに関する情報を受信することで、該登録サーバー装置が上記ユーザの上記無線ユーザ機器の登録を完了し、
（ｄ）上記アクセスネットワークシステムに以後アクセスする際に上記ユーザの上記無線ユーザ機器が使用する登録済のＩＤ及び登録済のパスワードを、上記登録サーバー装置から上記ユーザの上記無線ユーザ機器に送る、方法。
【請求項１５】
無線アクセスネットワークシステムのユーザを登録する際に、該ユーザに関連づけられているユーザ機器において使用される方法であって、
（ａ）該ユーザ機器を用いる匿名加入者として所定の仮のＩＤ及び所定の仮のパスワードを用いてネットワークにおける登録サーバー装置との匿名通信セッションを確立し、
（ｂ）上記無線アクセスネットワークシステムが上記所定の仮のＩＤ及び上記所定の仮のパスワードを認証したことに依存して、上記登録サーバー装置により確立されたポイント・ツー・ポイントプロトコルリンクの通信を行い、
（ｃ）該登録サーバー装置による登録が完了するように、所望のサービスプロバイダに関する情報を上記登録サーバー装置に送り、
（ｄ）上記無線アクセスネットワークシステムに以後アクセスする際に上記ユーザの当該ユーザ機器が使用する登録済のＩＤ及び登録済のパスワードを、上記登録サーバー装置から受信する、ユーザ機器における方法。
【発明の詳細な説明】
【技術分野】
【０００１】
本発明は一般に通信ネットワーク、ユーザ装置及び方法に関連し、特に無線アクセスで消費者を登録するためにインターネットウェブ技術を使用することに関連する。
【背景技術】
【０００２】
本発明は、“CELLULAR  WIRELESS  INTERNET  ACCESS  SYSTEM  USING  SPREAD  SPECTRUM  AND  INTERNET  PROTOCOL  （ＩＰ）”なる名称の１９９９年１１月２日に出願され、欧州特許公報ＥＰ１０９８５３９にも同じ形態で公開されている米国特許出願第０９／４３２，８２４号に関連する。
【０００３】
上記出願は、固定の形態無線ユーザに高いデータ速度を提供するために２ギガヘルツの帯域範囲で動作するセルラ無線インターネットアクセスシステムを開示する。このようなユーザは、近傍の基地局に接続し、これら基地局はインターネットに後に接続される統合ネットワーク制御部と通信する。このような無線の実施は、ＵＭＴＳ（ユニバーサル移動電話サービス）およびそのサブセットＵＴＲＡＮ（ユニバーサル地上無線アクセスネットワーク）標準のアクセスネットワークに関わる。
【０００４】
上記と同様のタイプのセルラ無線ネットワークにおいてサービスを得るためには、小売場における販売代表者は典型的には消費者情報、クレジット履歴等を得る。これらの情報は、セルラサービスプロバイダとアカウントを作るために使用され、消費者情報は、サービスプロバイダのホーム・ロケーション・レジスタ（ＨＬＲ）又は他の消費者データベースに記憶される。ＳＩＭ(加入者識別モード)カードは、アカウントと関連付けられ、セルラ端末（典型的には、移動電話又は無線インターネット装置）内に配置される。
【０００５】
しかしながら、上記技法の両方は、扱いにくく、小売側又はネットワークサービスプロバイダ側による操作を必要とし、新しい消費者がサービスを使用できるまでに時間遅延が生ずる。従って、上記のような無線システムでインターネットサービスにアクセスすることができるようユーザが自己登録できることが望ましい。
【先行技術文献】
【非特許文献】
【０００６】
【非特許文献１】水谷哲也，プロバイダーと契約しパソコンの接続環境を整える，日経ＰＣ２１，第３巻，第６号，日経ＢＰ社，第１７２−１７６頁，1998年5月1日
【非特許文献２】刊行物２：プリインストールソフトを利用  オンラインでパソコン通信に加入，根本から学ぶパソコン活用講座５  電子メール編，日経ＢＰムック，日経ＢＰ社，第５０−５３頁，1998年8月1日
【非特許文献３】パソコン通信を極める，ＹＯＭＩＵＲＩ  ＰＣ，第２巻，第２号，読売新聞社，第１２−３１頁，1997年2月1日
【発明の概要】
【発明が解決しようとする課題】
【０００７】
本発明の課題は、新しい消費者がサービスを使用できるまでの時間遅延を短縮できるようにする通信ネットワーク及びユーザ装置を提供することである。
【図面の簡単な説明】
【０００８】
【図１】本発明を示すインターネットシステムのブロック図。
【図２Ａ】本発明のオペレーションを示すフローチャート。
【図２Ｂ】本発明のオペレーションを示すフローチャート。
【発明を実施するための形態】
【０００９】
本発明の第１の形態によると、無線インターネットアクセスシステムにおいてユーザを登録する方法が提供される。
【００１０】
本発明の第２の形態によると、無線アクセスネットワークシステムと使用するための無線ユーザ機器配置が提供される。
【００１１】
本発明の第３の形態によると、無線アクセスネットワークシステムが提供される。
【００１２】
本発明の第４の形態によると、無線アクセスネットワークシステムにおいてユーザ登録機能を実施するコンピュータプログラム手段を有するコンピュータプログラムエレメントが提供される。
【００１３】
本発明の好ましい形態では、各ユーザがパーソナルコンピュータ（ＰＣ）を有し、各ユーザがセルラネットワーク制御器と無線で通信する、直接的に取り付けられたアンテナを典型的に有する無線ユーザ機器（ＵＥ）を利用する。ユーザは、ユーザ機器を登録に使用する所定のソフトウェアを有する磁気又は光学記憶手段（ＣＤ）と共に得る。所定のソフトウェア中のウィザードは、ＰＣ及びそれに接続される無線ユーザ機器を制御する。
【００１４】
ＰＣ中のウィザードの指示の下、加入者端末は、無線ネットワークと無線で通信するようコマンドされる。消費者が無線アクセスネットワークオペレータと予め登録されていため、ネットワーク上で匿名加入者としてだけ許可され、ネットワークオペレータの登録ウェブサーバーとだけ通信することが許可されている。これは、特別な「新ユーザ」ＩＤ及びＣＤに事前プログラムされたパスワードを用いて実現される。ＰＣ、ユーザ機器、及び、ネットワークオペレータの登録ウェブサーバー（無線アクセスを介して）の間で通信セッションが確立され、クレジットカード及び他の個人的な詳細及び要求されるサービスのタイプが入力される。登録ウェブサーバーは、システムでアクセスすることができる可能なＩＳＰのリストを含む。このリストは、登録が完了した後に後のアクセスに使用される。ユーザは、好ましいユーザＩＤを入力し、このユーザＩＤが登録サーバーによって認められる場合、消費者にユーザＩＤ及びパスワードが割り当てられ、同じ情報がＰＣ及びアクセスネットワークオペレータのホーム・ロケーション・レジスタ（認められた消費者のデータベースを含む）に転送される。その後、加入者は、ネットワークを使用することが認められ、無線ネットワーク上で、インターネットセッションに対する可能なＩＳＰ（インターネットサービスプロバイダ）に通常の接続を確立し、そのＩＳＰによって許可されたインターネットの任意の部分にアクセスすることができる。
【００１５】
図１を参照すると、インターネットアクセスシステムの２人のユーザは２１及び２２におかれ、このときユーザ機器（User  Equipment；ＵＥ）として既知のユーザ機器２１’及び２２’はＲＳ２３２、ＵＳＢ或いはイーサネット（登録商標）（Ｒ）を用いて典型的なデータ接続でコンピュータに接続される。パーソナルコンピュータは、ＣＤドライブ、又は、ウィザード（つまり、登録のための教育システム手順）を含むソフトウェアが含まれている特別なコンパクトディスク、又は、同様の媒体が配置される同様の媒体入力装置を有する。ＵＥ及びＣＤの両方は、どこかの小売場或いは郵便によって入手され、購入される。いずれの場合においてもＣＤ及びＵＥの両方はユーザのところにある。
【００１６】
上記出願において説明したとおり、無線アクセスＵＥ２１及び２２ユーザは、統合ネットワーク制御部（ＩＮＣ）２４と、記号２３で示すように、多数の無線技法（特定の新規の技法は上記出願に記載されている）によって無線で通信するＵＭＴＳ／ＵＴＲＡＮシステムの一部である。このような制御部は、ワイヤラインによって、又は、さもなければインターネットプロトコル（ＩＰ）ネットワーク３１に接続されてもよい。上記係属出願において説明したとおり、統合ネットワーク制御部２４は、無線ネットワークリソースを制御し割り当て、基地局（上記係属出願において説明した）とユーザ機器（ＵＥ）、且つ最終的には統合ネットワーク制御部２４との間でユーザトラフィックを確実に伝えるＲＮＣ即ち、無線ネットワーク制御部２６を含む。ＳＧＳＮ（サービング・ジェネラル・パケット・無線サービスサポートノード）２７は、セッションを制御し、アクセスオペレータＲＡＤＩＵＳ認証サーバー３４への接続を提供し、最後に、ＬＡＣ（レイヤ２トンネリングプロトコル・アクセス・コンセントレータ）２８は、インターネットサービスプロバイダ（ＩＳＰ）４０及び登録サーバーに対してゲートウェイ機能を提供する。レイヤ２トンネリングプロトコル・ネットワーク・サーバー（ＬＮＳ）３０は、ＩＰネットワークを通るＬＣＡからの通信トンネルを終了する。アクセスオペレータＲＡＤＩＵＳ認証サーバー３４は、ホーム・ロケーション・レジスタ（ＨＬＲ）機能（上記係属出願に記載）を支持する。アクセスオペレータ登録サーバー３６は、新ユーザが登録するための設備を提供する。
【００１７】
統合ネットワーク制御部２４は、「ＲＡＤＩＵＳ（ラディウス）」クライアント２９を含むことを示す。ＲＡＤＩＵＳは、上記した通り、インターネットへのアクセスが公衆電話交換網を介する場合に従来では使用されているインターネットアクセスへの集中したアクセス制御を支持するソフトウェアを含むシステムである。ＲＡＤＩＵＳに関する記述は、ウェブサイトWWW.IETF.ORGから利用できる、１９９７年４月、C．Rigney外による文献RFC  2138  Remote  Authentication  Dial−in  User  Service（RADIUS）によって提供される。
【００１８】
ユーザ機器２１又は２２のインターネットプロトコル・ネットワーク３１を通じる全ての通信において、認証は、統合ネットワーク制御部２４にエアで送られる消費者無線アクセス認証情報をユーザ機器（ＵＥ）がシグナリングすることで実施され、この統合ネットワーク制御は、点線４１によって示すように、ＲＡＤＩＵＳサーバー認証サーバーにユーザＩＤ（身分証明）及び仮のパスワードを照会する。使用されているＲＡＤＩＵＳサーバーは、安全性のために更なるプロトコル層を有するＵＤＰ／ＩＰプロトコルを用いるＩＰネットワークを通じて統合ネットワーク制御部と通信するアクセスオペレータのＲＡＤＩＵＳ認証サーバー３４である。
【００１９】
新ユーザの場合、ＣＤソフトウェアに事前プログラムされた「新ユーザ」ＩＤ及び仮のパスワードは、ＩＮＣ２４を介してアクセスオペレータＲＡＤＩＵＳ認証サーバー３４にシグナリングされる。アクセスオペレータＲＡＤＩＵＳ認証サーバー３４は、ユーザを「新ユーザ」として認識し、一組のプロトコルフィルタをＩＮＣ２４に通信し、結果として、ＰＰＰ（ポイント・ツー・ポイントプロトコル）セッションがレイヤ２トンネリングプロトコルリンク３２を介してユーザのＰＣとアクセスオペレータ登録サーバー３６との間で設定され、ユーザが任意の他のサービスにアクセスすることを禁止する。アクセスオペレータ登録サーバー３６は、加入者のアカウント管理及び請求システム３７に接続される。
【００２０】
従って、上記記載は、新ユーザ登録の目的のために、一般的な又は認証されていないユーザが無線アクセスオペレータ登録サーバーにまだアクセスすることができる匿名セッションリンクを構成する。添付の図は様々な路を示す。ＵＭＴＳアクセスの使用許諾されたオペレータ３３は、特別なサーバー３４及び３６に対して、且つ請求システム３７に供給する。
【００２１】
図２に示すフローチャートは、図１のブロック図に示すオペレ−ションを適切に説明する。開始後、段階１では、ユーザは、ユーザ機器（ＵＥ）として定義された機器及び適当なソフトウェア及びウィザード手順がインストールされたＣＤを購入する。マニュアルも提供される。ＣＤは、インストールされたソフトウェアの他に要求されるソフトウェアドライバも含む。ユーザがこれらを購入したとき、ユーザのジップコード（郵便番号）又は他の地理的情報を通じてユーザの住所がサービスエリアに関して確認されてもよい。これら全ての情報は、インターネットウェブアクセスによって提供され得る。
【００２２】
段階２では、ユーザ機器は、ＰＣに接続される。この接続は、図１に示すように、ＵＳＢ、イーサネット（登録商標）（Ｒ）、ＲＳ２３２等でもよい。
【００２３】
段階３では、ユーザ機器がＰＣにインストールされる。これは、ウィザードソフトウェアを通じて行われ、特定される全ての接続インタフェース、つまり、ＲＳ２３２、ＵＳＢ、又はイーサネット（登録商標）（Ｒ）を支持する。段階３ａ及び３ｂは、予防のための確認である。段階３ａでは、ＵＥインストレーションソフトウェアは、モデムが正確に接続され、作動可能かを確認する。段階Ａによって示される、誤ったプロセスインストレーションによりリターンが無い場合には、次の段階３ｂにおいてセル検索が実施される。ここでは、ユーザ機器が受信した信号の質が測定され、インストールされたウィザードを通じてユーザに報告される。このときも、信号の質が劣る場合には、開始に戻る。実際、登録が可能でない。
【００２４】
段階４では、標準「アテンション」（ＡＴ）の下でモデムがＵＥに新ユーザＩＤ及び仮のパスワードを送る。次に段階５において、ＵＥはこの認証情報をエアでＲＮＣ２６に送り、この情報はＲＡＤＩＵＳクライアント２９及びＳＧＳＮ２７に送られ、ＳＧＳＮは「新ユーザ」ＩＤ及び仮の「新ユーザ」パスワードについてＲＡＤＩＵＳサーバー３４に照会する。段階６では、ＲＡＤＩＵＳサーバー３４は、この特定の登録セッションのためにトラフィックに対して承認、及び、ＳＧＳＮ２７に供給されるべき一組のプロトコルフィルタで応答する。プロトコルフィルタは、所定の登録サーバー３６以外の他のインターネットサービス又はサイトにこのユーザがアクセスすることを禁ずる。ＲＡＤＩＵＳサーバーは、ＵＭＴＳアクセスオペレータ３３及び登録ウェブサーバー３６に接続するためにＩＳＰ、この場合ネットワークアクセスオペレータにおけるＩＳＰを列挙する。
【００２５】
次に段階７において、無線ネットワーク制御部２４中のレイヤ２トンネリングプロトコル・アクセス・コンセントレータ２８は、図１中破線３２で示すように、ＬＮＳ３０への通信トンネルを設定し、ＰＰＰ（ポイント・ツー・ポイントプロトコル）接続要求が入るのを待機する。段階８では、ＰＣ“ダイアル装置”ソフトウェアは、ＰＰＰセッションを開始するよう続けられ、このＰＰＰセッションは認証のためにレイヤ２トンネリングプロトコルを介してＬＮＳに送られる。段階９では、ＬＮＳが接続を設定するためにＰＰＰ内で使用される様々なプロトコルを終了させ、ＰＰＰ上で送られるダイアルアップ方式の「新ユーザ」のユーザＩＤ及びパスワードを有効にする。これは、路４１によって表示されるＲＡＤＩＵＳサーバー３４に対する二度目の照会を伴う。
【００２６】
段階１０では、一旦ダイアル装置がＰＰＰを通じてパーソナルコンピュータ、即ち、ＰＣに接続されると、インストレーションウィザードはＰＣのウェブブラウザを作動させ、登録ウェブサーバー３６から登録用のウェブページをダウンロードする。次に、段階１１において、ユーザは、好ましいユーザＩＤ、パスワード、クレジッドカード項目、個人項目、要求されるサービスのタイプを入力するよう促される。アクセスオペレータによって支持される可能なＩＳＰリスト、並びに、必要な場合にはそれらの特定の登録ソフトウェアが提供される。利用できるサービスのタイプに関する情報は、登録ウェブページを通じて提供される。段階１２では、ユーザが適当データを入力し、「送るためにクリック」した後、情報が登録サーバーに送信される。段階１３では、登録サーバーは、入力された情報（必要な場合にはクレジットカード認証を含む）を確認し、登録済のパスワードを生成する。要求されるユーザＩＤが既に割り当てられている場合、ユーザにはオプションが与えられる、新しいユーザＩＤを入力するよう要求される。段階１４では、ユーザは、ユーザ名及び登録済のパスワードを含む、登録ウェブサーバー３６からダウンロードされたウェブページを通じて登録が成功したことが通知され、ＲＡＤＩＵＳサーバー３４は、無線アクセスのために適当なユーザ情報、並びに、選択されたユーザ名及びパスワードで更新される。これらは全て将来使用できるようＰＣに保存される。最後に、段階１５において、登録インターネットセッションが終了される。
【００２７】
ユーザは、クレジット確認が終えられたと仮定してアクセスオペレータに登録され、新しいセッションで通常のインターネット無線アクセスが要求され得る。
【００２８】
本発明の場合、新しい消費者のユーザ機器（ＵＥ）は、無線アクセスネットワークへの接続を要求するとき、「新ユーザ」ＩＤ及び「新ユーザ」パスワードである識別情報を送る。これは、特別な匿名接続において得られる。更に、上記した通り、プロトコルフィルタを通じて接続は適切に制限される。
【００２９】
従って、消費者は、夫々のユーザ機器を小売直売店から購入してもよい。消費者は、夫々の機器を夫々のパーソナルコンピュータに接続し、オンラインで自身を登録しアカウントを作るためにインターネットアクセスを得るよう使用することを可能にする。このユーザ始動された登録は、上記ウェブベースのインターネット登録処理を用いて可能となる。
【００３０】
以下、開示される発明の実施形態を例示的に列挙する。
【００３１】
［第１項］  ユーザを無線アクセスネットワークシステムにおいて登録する方法であって、
（ａ）ユーザが所定の仮のＩＤ及び所定の仮のパスワードを用い無線ユーザ機器を介してネットワークと通信する匿名通信セッションを確立する段階と、
（ｂ）システムが上記所定の仮のＩＤ及び上記所定の仮のパスワードを認証し、上記認証に依存して上記ユーザと登録サーバー装置との間でポイント・ツー・ポイントプロトコルリンクを確立する段階と、
（ｃ）上記ユーザが上記登録サーバー装置と登録を完了する段階と、
（ｄ）上記ユーザが後に上記システムにアクセスするために使用する登録済のＩＤ及び登録済のパスワードを上記登録サーバー装置が上記ユーザに送る段階とを有する方法。
【００３２】
［第２項］  上記段階（ａ）及び上記段階（ｃ）は、上記ユーザ機器が接続されているコンピュータで上記ユーザが所定のソフトウェアプログラムを実行することで実施され、上記段階（ｄ）は上記登録済のＩＤ及び上記登録済のパスワードを上記コンピュータに記憶することを更に含む、第１項記載の方法。
【００３３】
［第３項］  上記ソフトウェアプログラムは、上記コンピュータに挿入される携帯可能なデータ担体に常駐する第２項記載の方法。
【００３４】
［第４項］  上記段階（ｃ）は、上記ユーザが上記登録サーバー装置に対して所望のサービスプロバイダに関する情報を送ることを含む第１又は２項記載の方法。
【００３５】
［第５項］  上記登録サーバー装置が上記ユーザに対して上記所望のサービスプロバイダと登録するための情報を送る段階を更に有する第４項記載の方法。
【００３６】
［第６項］  上記システムがセルラ無線インターネットアクセスシステムである第１乃至５のうちいずれか一項記載の方法。
【００３７】
［第７項］  上記登録サーバー装置がＲＡＤＩＵＳ標準で作動するサーバーを有する第１乃至６のうちいずれか一項記載の方法。
【００３８】
［第８項］  上記ユーザ機器が携帯可能であり、上記登録が事前の登録手続きを要すること無く行われ得る第１乃至７のうちいずれか一項記載の方法。
【００３９】
［第９項］  上記システムがＵＭＴＳシステムである第１乃至８のうちいずれか一項記載の方法。
【００４０】
［第１０項］  無線アクセスネットワークシステムと使用する無線ユーザ機器装置であって、
無線ユーザ機器と、
仮のＩＤ及び仮のパスワードを通じて匿名通信セッションを確立するためにコンピュータで実行されるソフトウェアプログラムを保持するデータ担体とを有し、
ユーザは、事前の登録手続きを要すること無く第１乃至９のうちいずれか一項記載の方法によって登録することができる装置。
【００４１】
［第１１項］  事前の登録手続き無しで登録することを可能にする無線アクセスネットワークシステムであって、
所定の仮のＩＤ及び所定の仮のパスワードを用い無線ユーザ機器を通じてネットワークと通信する匿名通信セッションを確立することをユーザに可能にさせる匿名通信セッションサポート部と、
上記所定の仮のＩＤ及び所定の仮のパスワードを認証して上記認証に依存して上記ユーザとの間でポイント・ツー・ポイントプロトコルリンクを確立し、それにより上記ユーザの登録を完了させ、且つ、上記ユーザが上記システムとその後アクセスできるよう上記ユーザによって使用される登録済のＩＤ及び登録済のパスワードを送る登録サーバー装置とを有するシステム。
【００４２】
［第１２項］  上記登録サーバー装置は、所望のサービスプロバイダに関連する情報を上記ユーザから受信するよう配置される第１１項記載のシステム。
【００４３】
［第１３項］  上記登録サーバー装置は、上記所望のサービスプロバイダと登録するための情報を上記ユーザに送るよう更に配置される第１２項記載のシステム。
【００４４】
［第１４項］  セルラ無線インターネットアクセスシステムである第１１乃至１３のうちいずれか一項記載のシステム。
【００４５】
［第１５項］  上記登録サーバー装置は、ＲＡＤＩＵＳ標準で作動するサーバーを有する第１１乃至１４のうちいずれか一項記載のシステム。
【００４６】
［第１６項］  上記システムは、ＵＭＴＳシステムである第１１乃至１５のうちいずれか一項記載のシステム。
【００４７】
［第１７項］  第１乃至８のうちいずれか一項記載の無線アクセスネットワークシステムにおいてユーザ登録機能を実施するコンピュータプログラム手段を有するコンピュータプログラムエレメント。
【００４８】
［第１８項］  パーソナルコンピュータ（ＰＣ）を有する新しい無線インターネットアクセス消費者／ユーザの登録を含みインターネットネットワークの一部としてセルラ無線インターネットアクセスシステムを作動し、上記各ユーザが統合ネットワーク制御部と無線で通信する直接的に取り付けられたアンテナを有する携帯可能なユーザ機器を利用する方法であって、
上記ユーザが上記登録において使用する所定のソフトウェア及びデータを有するＣＤのような磁気記憶手段と共に上記ユーザ機器を入手する段階と、
上記端末を上記ＰＣに接続し、上記ＣＤを上記ＰＣにインストールし、上記所定のソフトウェア中のウィザードに上記ＰＣ及びそれに接続されたユーザ機器を制御させる段階と、
上記ＰＣ中の上記ウィザードの指示の下、上記ユーザ機器は、上記ＣＤに記憶されている所定の「新ユーザ」の仮のＩＤ及び「新ユーザ」のパスワードの認証を通じて所定の登録ウェブサーバーとだけ通信することを可能にする匿名通信セッションを使用し無線で通信するようコマンドされる段階とを有し、
正しく認証された場合、ポイント・ツー・ポイントプロトコルが上記ＰＣ及びそれに接続されているユーザ機器と上記登録ウェブサーバーとの間で設定され、クレジットカード、他の個人情報及び要求されるサービスのタイプが入力され、上記ウェブサーバーが可能な（インターネットサービスプロバイダ）ＩＳＰのリスト及び必要な場合には夫々の登録ソフトウェアがダウンロード用に有し、
上記サーバーによって認可された場合、上記ユーザに登録済のユーザＩＤ及び登録済のパスワードを与え、上記ユーザＩＤ及びパスワードをアクセスオペレータ認証サーバーに上記インターネットネットワークの一部として提供し、
その後、登録によって得られる消費者情報を用いて認可されるインターネットセッションのために上記ＩＳＰとの通常の無線インターネット接続を可能にする方法。
【００４９】
［第１９項］  上記無線インターネットアクセスシステムのための上記サーバーがＲＡＤＩＵＳ標準で作動し、上記ＲＡＤＩＵＳがダイアルアップ方式のインターネットアクセスのために公衆電話切換網において通常使用される第１８項記載の方法。
【００５０】
［第２０項］  携帯可能な無線インターネットユーザが、小売直売店でサービスを申し込むことなく所定の無線インターネットアクセスオペレータに登録することができる第１８及び１９項記載の方法。
【図１】
0005135461.tif 000002
【図２Ａ】
0005135461.tif 000003
【図２Ｂ】
0005135461.tif 000004